(57)【要約】【課題】表示装置における電力消費量を効率よく低減させる。【解決手段】照明部１５は、表示部１４の照明を行う。多量放電判定部１０１は、自装置の状態が、多量の電力を必要とする多量放電状態となったか否かを判定する。照明制御部１０４は、多量放電判定部１０１によって自装置が多量放電状態であると判定された場合に、照明部１５による照明の範囲を減縮させる。【選択図】図１
2012242429.tif 000002
【特許請求の範囲】
【請求項１】
表示部の照明を行う照明部と、
自装置の状態が、多量の電力を必要とする多量放電状態となったか否かを判定する多量放電判定部と、
前記多量放電判定部によって自装置が多量放電状態であると判定された場合に、前記照明部による照明の範囲を減縮させる照明制御部と
を備えることを特徴とする表示装置。
【請求項２】
前記照明制御部によって照明の範囲が変更された場合に、前記表示部に表示させる画像を、前記照明部によって照明がなされる範囲の大きさに変更する表示画像制御部と
を備えることを特徴とする請求項１に記載の表示装置。
【請求項３】
前記多量放電判定部によって自装置が多量放電状態であると判定された場合に、前記照明部による照明の範囲を減縮させる減縮ボタンを表示部に表示させる減縮ボタン提示部を備え、
前記照明制御部は、利用者の操作によって前記表示部によって表示された減縮ボタンが選択された場合に、前記照明部による照明の範囲を減縮させる
ことを特徴とする請求項１または請求項２に記載の表示装置。
【請求項４】
前記照明制御部によって照明の範囲が減縮された場合に、前記照明部による照明の範囲を拡大させる拡大ボタンを表示部に表示させる拡大ボタン提示部を備え、
前記照明制御部は、利用者の操作によって前記表示部によって表示された拡大ボタンが選択された場合に、前記照明部による照明の範囲を減縮前の状態に戻す
ことを特徴とする請求項１から請求項３の何れか１項に記載の表示装置。
【請求項５】
前記照明制御部によって照明の範囲が変更される際に、前記表示部に表示させる文字サイズの変更の要否を利用者に選択させる文字サイズ選択画面を、前記表示部に表示させる文字サイズ選択提示部を備え、
前記表示画像制御部は、
利用者の操作によって前記文字サイズを変更しない旨の入力を受け付けた場合、前記表示部に表示させる表示画像に含まれる文字列を、前記照明部によって照明がなされる範囲に収まるよう再配置し、
利用者の操作によって前記文字サイズを変更する旨の入力を受け付けた場合、前記表示部の大きさと前記照明部によって照明がなされる範囲の大きさとの比率に基づいて前記表示部に表示させる表示画像に含まれる文字列の文字サイズを縮小する
ことを特徴とする請求項２に記載の表示装置。
【請求項６】
前記照明制御部は、前記多量放電判定部によって自装置が多量放電状態であると判定された場合に、前記照明部における照明を減縮させる範囲の照度を徐々に低減させる
ことを特徴とする請求項１から請求項５の何れか１項に記載の表示装置。
【請求項７】
前記照明制御部は、前記照明部が照度の低減中に利用者による操作を受け付けた場合、前記照明部による照明の照度を、照度の低減前の状態に戻す
ことを特徴とする請求項６に記載の表示装置。
【請求項８】
表示装置の照明制御方法であって、
自装置の状態が、多量の電力を必要とする多量放電状態となったか否かを判定し、
自装置が多量放電状態であると判定された場合に、表示部の照明を行う照明部による照明の範囲を減縮させる
ことを特徴とする照明制御方法。
【請求項９】
表示部の照明を行う照明部を備える表示装置を、
自装置の状態が、多量の電力を必要とする多量放電状態となったか否かを判定する多量放電判定部、
前記多量放電判定部によって自装置が多量放電状態であると判定された場合に、前記照明部による照明の範囲を減縮させる照明制御部
として機能させるためのプログラム。
【発明の詳細な説明】
【技術分野】
【０００１】
本発明は、表示装置、照明制御方法、及びプログラムに関する。
【背景技術】
【０００２】
近年の携帯電話は、電子メール、ゲーム、ウェブブラウザなど様々な機能を有するものが多く、そのディスプレイサイズは年々大きくなる傾向にある。一方、携帯電話の画面表示に要する電力は、携帯電話の全消費電力に対して高い割合を占める。また、近年は、携帯電話のディスプレイにＬＣＤ（Ｌｉｑｕｉｄ  Ｃｒｉｓｔａｌ  Ｄｉｓｐｌａｙ）を用いることが多い。携帯電話のディスプレイにＬＣＤを用いる場合、ＬＣＤ自体は発光しないため、背面にバックライトを備え、当該バックライトを点灯させる必要がある。なお、液晶画面の消費電力のほとんどは、バックライトの点灯に要するものであることが知られている。
【０００３】
携帯電話等の表示装置のディスプレイサイズが大きくなると、バックライトの数が増えて消費電力が増加し、電池の持ち時間が短くなってしまうという問題がある。表示装置の画面表示制御方法としては、電池電圧が規定値以下になったことを検知して画面の表示領域を縮小し、消費電力を抑える制御が知られている。
例えば、特許文献１には、電池電源の電圧が設定電圧よりも低くなったときに、文字のフォントを小さくする電子機器が開示されている。
また、特許文献２には、携帯電話機が所定時間の間、無使用状態となったときに、点灯させるバックライトの個数を減らすことで消費電力を抑える技術が開示されている。
また、特許文献３には、ディスプレイを構成する画素部を駆動する走査線駆動回路及び信号線駆動回路の制御によって、表示領域の一部のみを利用して表示するパーシャル表示を実現することで消費電力を抑える技術が開示されている。
【先行技術文献】
【特許文献】
【０００４】
【特許文献１】特開２００４−１７８０２９号公報
【特許文献２】特開２００５−２５７７２４号公報
【特許文献３】特開２００７−０５８２０２号公報
【発明の概要】
【発明が解決しようとする課題】
【０００５】
しかしながら、特許文献１による表示制御方法では、電池電圧が規定値以下になってから電池がなくなるまでのわずかな電圧区間でしか省電効果が得られないという問題があった。また、特許文献２に記載の技術を用いた場合、携帯電話機が使用されている間は消費電力を押さえる制御がなされず、省電効果が小さいという問題がある。また、特許文献３に記載の方法を実現するには、表示装置に走査線駆動回路や信号線駆動回路といったハードウェア構成を有する必要があるという問題がある。
【課題を解決するための手段】
【０００６】
本発明は上記の課題を解決するためになされたものであり、表示部の照明を行う照明部と、自装置の状態が、多量の電力を必要とする多量放電状態となったか否かを判定する多量放電判定部と、前記多量放電判定部によって自装置が多量放電状態であると判定された場合に、前記照明部による照明の範囲を減縮させる照明制御部とを備えることを特徴とする表示装置である。
【０００７】
また、本発明は、表示装置の照明制御方法であって、自装置の状態が、多量の電力を必要とする多量放電状態となったか否かを判定し、自装置が多量放電状態であると判定された場合に、表示部の照明を行う照明部による照明の範囲を減縮させることを特徴とする。
【０００８】
また、本発明は、表示部の照明を行う照明部を備える表示装置を、自装置の状態が、多量の電力を必要とする多量放電状態となったか否かを判定する多量放電判定部、前記多量放電判定部によって自装置が多量放電状態であると判定された場合に、前記照明部による照明の範囲を減縮させる照明制御部として機能させるためのプログラムである。
【発明の効果】
【０００９】
本発明によれば、表示装置における電力消費量を効率よく低減させることができる。
【図面の簡単な説明】
【００１０】
【図１】本発明の一実施形態による表示装置を備える携帯無線機の構成を示す概略ブロック図である。
【図２】表示部に対する照明部の配置を示す図である。
【図３】多量放電判定部による多量放電状態判定処理の動作を示すフローチャートである。
【図４】ボタン提示部によって提示されるボタンの表示例を示す図である。
【図５】文字サイズ選択画面の例を示す図である。
【図６】照明制御部によって減縮される照明の範囲のパターンの一例を示す図である。
【図７】照明の範囲を減縮する際における文字列の扱いを示す図である。
【図８】携帯無線機の動作を示すフローチャートである。
【図９】本発明による表示装置の基本構成を示す概略ブロック図である。
【発明を実施するための形態】
【００１１】
以下、図面を参照しながら本発明の実施形態について詳しく説明する。
図１は、本発明の一実施形態による表示装置を備える携帯無線機１の構成を示す概略ブロック図である。
携帯無線機１は、ＣＰＵ１０（Ｃｅｎｔｒａｌ  Ｐｒｏｃｅｓｓｉｎｇ  Ｕｎｉｔ）、通信部１１、記憶部１２、電池電流検知部１３、表示部１４、照明部１５、操作部１６を備える。
【００１２】
通信部１１は、基地局からの報知情報を受信し、ＣＰＵ１０に当該報知情報をデータとして出力する。報知情報には、国コードが含まれており、携帯無線機１が現在どの国にいるかを判別することができる。
【００１３】
電池電流検知部１３は、電池から単位時間に出力される電流量を検知し、予め定めた電流規定値以上である場合に、ＣＰＵ１０に消費電流が大きいことを示す情報を出力する。電流量が電流規定値以上となる例としては、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）のような無線システムの通信中に、携帯無線機１に実装されたＧＰＳ（Ｇｌｏｂａｌ  Ｐｏｓｉｔｉｏｎｉｎｇ  Ｓｙｓｔｅｍ）や無線ＬＡＮなど別の無線機を使うような場合が挙げられる。また、携帯無線機１で実行するアプリケーションソフトによっては、消費電力を大きくするものがある。
表示部１４は、ＬＣＤ等の表示装置であって、ＣＰＵ１０によって生成される表示画像を表示する。
【００１４】
照明部１５は、表示部１４の背面に設けられ、表示部１４の照明を行う。図２は、表示部１４に対する照明部１５の配置を示す図である。携帯無線機１には、図２に示すように、表示部１４の表示領域を分割し、区間毎に照明部１５が配置される。照明部１５としては、例えば消費電力の少ないＬＥＤを用いることで実現可能である。
操作部１６は、テンキーやタッチパネル等の入力装置を介して利用者からの入力を受け付ける。
【００１５】
ＣＰＵ１０は、記憶部１２またはその他のコンピュータ読み取り可能な記録媒体に記憶されたプログラムを実行することで、多量放電判定部１０１、ボタン提示部１０２、文字サイズ選択提示部１０３、照明制御部１０４、表示画像制御部１０５を備える。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００１６】
多量放電判定部１０１は、通信部１１から取得した報知情報や電池電流検知部１３から取得した情報に基づいて、自装置の状態が、多量の電力を必要とする多量放電状態となったか否かを判定する多量放電状態判定処理を実行する。ここで、多量放電状態判定処理の詳細について説明する。
【００１７】
図３は、多量放電判定部１０１による多量放電状態判定処理の動作を示すフローチャートである。
まず、多量放電判定部１０１は、通信部１１から報知情報を取得する（ステップＳ３１）。次に、多量放電判定部１０１は、記憶部１２が予め記憶している国コードと、取得した報知情報に含まれる国コードとが一致するか否かを判定する（ステップＳ３２）。なお、記憶部１２が予め記憶している国コードは、携帯無線機１の使用が想定される国を示す国コードである。多量放電判定部１０１は、記憶部１２が予め記憶している国コードと取得した報知情報に含まれる国コードとが一致しないと判定した場合（ステップＳ３２：ＮＯ）、自装置の状態が多量放電状態となったと判定する（ステップＳ３３）。これは、国が変わることで、ＷＣＤＭＡやＧＳＭのような無線システムが変化することや、基地局の配置間隔に違いが出ることなどにより、携帯無線機１の消費電力が増加し、電池持ちが悪くなる可能性があるためである。
【００１８】
他方、多量放電判定部１０１は、ステップＳ３２で記憶部１２が予め記憶している国コードと取得した報知情報に含まれる国コードとが一致すると判定した場合（ステップＳ３２：ＹＥＳ）、通信部１１によるハンドオーバが発生したか否かを判定する（ステップＳ３４）。ハンドオーバが発生した場合（ステップＳ３４：ＹＥＳ）、多量放電判定部１０１は、記憶部１２が記憶するハンドオーバ発生回数に１を加算する（ステップＳ３５）。そして、多量放電判定部１０１は、記憶部１２が記憶するハンドオーバ発生回数が規定回数以上であるか否かを判定する（ステップＳ３６）。多量放電判定部１０１は、ハンドオーバ回数が規定回数以上であると判定した場合（ステップＳ３６：ＹＥＳ）、自装置の状態が多量放電状態となったと判定する（ステップＳ３３）。これは、携帯無線機１の移動距離が長いと基地局とのハンドオーバ回数が増え、通信部１１やＣＰＵ１０における消費電力が増大するためである。
【００１９】
他方、多量放電判定部１０１は、ステップＳ３４においてハンドオーバが発生していない場合（ステップＳ３４：ＮＯ）、ステップＳ３６でハンドオーバ回数が規定回数未満であると判定した場合（ステップＳ３６：ＮＯ）、電池電流検知部１３から消費電流が大きいことを示す情報を受け付けたか否かを判定する（ステップＳ３７）。電池電流検知部１３から消費電流が大きいことを示す情報を受け付けた場合（ステップＳ３７：ＹＥＳ）、自装置の状態が多量放電状態となったと判定する（ステップＳ３３）。他方、電池電流検知部１３から消費電流が大きいことを示す情報を受け付けなかった場合（ステップＳ３７：ＮＯ）、自装置の状態が多量放電状態でないと判定する（ステップＳ３８）。
上述した処理により、多量放電判定部１０１は、自装置の状態が多量放電状態となったか否かを判定する。
【００２０】
図４は、ボタン提示部１０２によって提示されるボタンの表示例を示す図である。
ボタン提示部１０２は、多量放電判定部１０１により自装置の状態が多量放電状態となったと判定された場合に、図４（Ａ）に示すように、表示部１４による表示範囲及び照明部１５による照明範囲を減縮させる減縮ボタンを表示部１４に表示させる。また、ボタン提示部１０２は、表示部１４による表示範囲及び照明部１５による照明範囲を減縮したときに、図４（Ｂ）に示すように、表示部１４による表示範囲及び照明部１５による照明範囲を拡大させる拡大ボタンを表示部１４に表示させる。
【００２１】
図５は、文字サイズ選択画面の例を示す図である。
文字サイズ選択提示部１０３は、ボタン提示部１０２によって提示された減縮ボタンが選択された場合に、図５に示すように、表示部１４に表示させる文字サイズの変更の要否を利用者に選択させる文字サイズ選択画面を、表示部１４に表示させる。図５に示す例では、利用者が選択部を介して「文字サイズは同じ」と記載されたボタンを選択することで、ＣＰＵ１０は、文字サイズを変更しない旨の入力を受け付ける。他方、利用者が選択部を介して「文字サイズを縮小」と記載されたボタンを選択することで、ＣＰＵ１０は、文字サイズを変更する旨の入力を受け付ける。
【００２２】
図６は、照明制御部１０４によって減縮される照明の範囲のパターンの一例を示す図である。
照明制御部１０４は、文字サイズ選択提示部１０３によって提示された文字サイズの変更の要否の選択を利用者から受け付けた場合に、図６（Ａ）、（Ｂ）に示すように、照明部１５による照明の範囲を減縮させる。また、照明制御部１０４は、ボタン提示部１０２によって提示された拡大ボタンが選択された場合に、照明部１５による照明の範囲を減縮前の範囲に戻す。なお、照明の範囲のパターンは、予め利用者によって設定されて記憶部１２に記憶される。
【００２３】
表示画像制御部１０５は、文字サイズ選択提示部１０３によって提示された文字サイズの変更の要否の選択を利用者から受け付けた場合に、表示部１４に表示させる表示画像を、照明部１５によって照明がなされる範囲の大きさに変更する。
図７は、照明の範囲を減縮する際における文字列の扱いを示す図である。
このとき、表示画像制御部１０５は、利用者の操作によって文字サイズを変更しない旨の入力を受け付けた場合、表示部１４に表示させる表示画像に含まれる文字列（図７（Ａ））を、照明部１５によって照明がなされる範囲に収まるよう再配置した表示画像（図７（Ｂ））を生成する。また、表示画像制御部１０５は、利用者の操作によって文字サイズを変更する旨の入力を受け付けた場合、表示部１４の大きさと照明部１５によって照明がなされる範囲の大きさとの比率に基づいて表示部１４に表示させる表示画像（図７（Ａ））に含まれる文字列の文字サイズを縮小した表示画像（図７（Ｃ））を生成する。
【００２４】
次に、本実施形態による携帯無線機１の動作を説明する。
図８は、携帯無線機１の動作を示すフローチャートである。
携帯無線機１が起動し、ＣＰＵ１０が上記各処理部を備えると、多量放電判定部１０１は、上述した多量放電状態判定処理を実行する（ステップＳ１）。そして、多量放電判定部１０１は、自装置が多量放電状態であるか否かを判定する（ステップＳ２）。自装置が多量放電状態でない場合（ステップＳ２：ＮＯ）、ステップＳ１に戻り、多量放電状態判定処理を再度実行する。
【００２５】
他方、自装置が多量放電状態である場合（ステップＳ２：ＹＥＳ）、ボタン提示部１０２は、表示部１４に図４（Ａ）に示すような減縮ボタンを表示させる（ステップＳ３）。次に、ＣＰＵ１０は、利用者によって操作部１６を介して減縮ボタンの選択がなされたか否かを判定する（ステップＳ４）。減縮ボタンが選択されていない間は（ステップＳ４：ＮＯ）、ステップＳ４の判定処理を繰り返し実行する。
【００２６】
他方、減縮ボタンが選択された場合（ステップＳ４：ＹＥＳ）、文字サイズ選択提示部１０３は、表示部１４に図５に示すような文字サイズ選択画面を表示させる（ステップＳ５）。次に、ＣＰＵ１０は、利用者によって操作部１６を介して文字サイズの変更の要否の選択を待機する。そして、表示画像制御部１０５は、利用者によって文字サイズを変更する旨の入力を受け付けたか否かを判定する（ステップＳ６）。
【００２７】
利用者によって文字サイズを変更する旨の入力を受け付けた場合（ステップＳ６：ＹＥＳ）、表示画像制御部１０５は、表示部１４の大きさと照明部１５によって照明がなされる範囲の大きさとの比率に基づいて表示部１４に表示させる表示画像に含まれる文字列の文字サイズを縮小した表示画像を生成する（ステップＳ７）。
他方、利用者によって文字サイズを変更しない旨の入力を受け付けた場合（ステップＳ６：ＮＯ）、表示画像制御部１０５は、表示部１４に表示させる表示画像に含まれる文字列を、照明部１５によって照明がなされる範囲に収まるよう再配置した表示画像を生成する（ステップＳ８）。
表示画像制御部１０５が、ステップＳ７またはステップＳ８で表示画像を生成すると、照明制御部１０４は、図６（Ｂ）に示すように、照明部１５による照明の範囲を減縮させる（ステップＳ９）。次に、表示画像制御部１０５は、ステップＳ８で生成した表示画像を、表示部１４における、照明部１５によって照明がなされる範囲に表示させる（ステップＳ１０）。
【００２８】
次に、ボタン提示部１０２は、表示部１４に図４（Ｂ）に示すような拡大ボタンを表示させる（ステップＳ１１）。次に、ＣＰＵ１０は、利用者によって操作部１６を介して拡大ボタンの選択がなされたか否かを判定する（ステップＳ１２）。拡大ボタンが選択されていない間は（ステップＳ１２：ＮＯ）、ステップＳ１２の判定処理を繰り返し実行する。
【００２９】
他方、拡大ボタンが選択された場合（ステップＳ１２：ＹＥＳ）、照明制御部１０４は、照明部１５による照明の範囲を表示部１４の全範囲に戻す（ステップＳ１３）。そして、表示画像制御部１０５は、ステップＳ７またはステップＳ８による処理を行っていないもとの表示画像を、表示部１４に表示させる（ステップＳ１４）。
【００３０】
以上、本実施形態によれば、自装置の状態が多量の電力を要する多量放電状態となった場合に、照明の範囲を減縮させる。これにより、電池電圧の高低にかかわらず、表示装置における電力消費量を効率よく低減させることができる。具体的には、単位時間当たりのハンドオーバ回数が規定回数以上になった場合に多量放電状態であると判定するため、携帯無線機１の使用中に長距離移動する場合に、電池の持ち時間を延ばすことができる。また、単位時間当たりの電池出力電流が多い場合に多量放電状態であると判定するため、消費電流が多い場合に電池の持ち時間を延ばすことができる。また、取得した報知情報に含まれる国コードが予め記憶している国コードと一致しない場合に多量放電状態であると判定するため、国を跨いで移動する場合に、電池の持ち時間を延ばすことができる。
【００３１】
また、本実施形態によれば、ボタン提示部１０２が照明部１５による照明の範囲を減縮させる減縮ボタン、及び照明部１５による照明の範囲を拡大させる拡大ボタンを表示部１４に表示させるため、照明の範囲の大小を容易に切り替えることができる。
【００３２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００３３】
図９は、本発明による表示装置の基本構成を示す概略ブロック図である。
上述した実施形態では、本発明による表示装置を携帯無線機１に実装し、携帯無線機１が図１に示す構成を備える場合について説明したが、本発明による表示装置の基本構成は、図９に示すとおりである。
すなわち、本発明による表示装置は、照明部１５、多量放電判定部１０１、及び照明制御部１０４を基本構成とする。
【００３４】
照明部１５は、表示部１４の照明を行う。
多量放電判定部１０１は、自装置の状態が、多量の電力を必要とする多量放電状態となったか否かを判定する。
照明制御部１０４は、多量放電判定部１０１によって自装置が多量放電状態であると判定された場合に、照明部１５による照明の範囲を減縮させる。
これにより、表示装置は、表示装置における電力消費量を効率よく低減させることができる。
【００３５】
なお、本実施形態では、本発明による表示装置を携帯無線機１に搭載した場合について説明したが、これに限られず、例えばゲーム機やタブレットＰＣ、ノートＰＣなどの他の装置に本発明による表示装置を搭載しても良い。
【００３６】
また、本実施形態では、多量放電状態となった場合に減縮ボタンを表示させ、当該減縮ボタンが選択したときに、照明範囲の減縮を行う場合を説明したが、これに限られない。例えば、多量放電状態となったときに減縮ボタンを表示させず、直ちに照明範囲の減縮を行う構成としても良い。
また、例えば、多量放電状態となったときに、照明制御部１０４が、照明部１５における照明を減縮させる範囲の照度を徐々に低減させるようにしても良い。このとき、照明部１５の照度が０となった場合に、表示画像制御部１０５が縮小した表示画像を表示させ、照度が０となる前に利用者からの操作があった場合に、照明制御部１０４が照明部１５の照度を元に戻し、表示画像制御部１０５による表示画像の縮小処理を行わないようにしても良い。
これらの構成を用いた場合、多量放電状態となった場合に自動的に照明部１５の照明領域を縮小し、より積極的に省電効果を得ることができる。
【００３７】
また、本実施形態では減縮ボタン及び拡大ボタンを表示部１４に表示し、当該ボタンの選択により照明範囲の変更制御を行う場合を説明したが、これに限られず、例えば所定のキーの押下により照明範囲の変更制御を行うようにしても良い。
【００３８】
また、本実施形態では、照明部１５として、表示部１４の背面に設けられ、表示部１４の照明を行うＬＥＤを用いる例を用いて説明したが、これに限られない。例えば、導光板を用いることで、照明部１５を表示部１４の背面に設けることなく表示部１４の照明を行うことができるようにしても良いし、ＬＥＤに代えて他の照明装置を用いても良い。
【００３９】
また、本実施形態では、照明制御部１０４による照明範囲を、表示部１４の全範囲と、減縮した範囲との２段階で切り替える場合を説明したが、これに限られず、例えば減縮する範囲として複数のパターンを記憶しておき、消費電力量に応じて何れのパターンで照明範囲の減縮を行うかを選択するようにしても良い。
【００４０】
また、本実施形態では、照明制御部１０４による照明範囲の変更にあわせて表示画像制御部１０５によってサイズを減縮した画像を表示させる場合について説明したが、これに限られず、例えば照明範囲のみの変更を行い、表示画像制御部１０５による表示画像の変更を行わないようにしても良い。
【符号の説明】
【００４１】
１…携帯無線機  １０…ＣＰＵ  １１…通信部  １２…記憶部  １３…電池電流検知部  １４…表示部  １５…照明部  １６…操作部  １０１…多量放電判定部  １０２…ボタン提示部  １０３…文字サイズ選択提示部  １０４…照明制御部  １０５…表示画像制御部
【図１】
2012242429.tif 000003
【図２】
2012242429.tif 000004
【図３】
2012242429.tif 000005
【図４】
2012242429.tif 000006
【図５】
2012242429.tif 000007
【図６】
2012242429.tif 000008
【図７】
2012242429.tif 000009
【図８】
2012242429.tif 000010
【図９】
2012242429.tif 000011